(57)【特許請求の範囲】
【請求項１】
ケースと、所定の情報が書き込まれた非接触型ＩＣモジュールが搭載され、その一部が前記ケースから突出するように前記ケースに内蔵されたＩＣカードとを有し、前記非接触型ＩＣモジュールを所定の情報読取手段に近接させることにより該非接触型ＩＣモジュールに書き込まれた情報が読み出し可能な情報記録媒体であって、
前記非接触型ＩＣモジュールに書き込まれた情報を読み出す際に前記情報読取手段に近接する近接部を有し、
前記ＩＣカードは、前記非接触型ＩＣモジュールが複数搭載され、前記ケースから突出した部分を操作することで回転することにより該複数の非接触型ＩＣモジュールがそれぞれ選択的に前記近接部に配置可能となるように前記ケースに内蔵されているとともに、前記ケースから突出する部分の前記複数の非接触型ＩＣモジュールのそれぞれに対応する領域に、互いに異なる形状の凹凸が形成されている情報記録媒体。
【請求項２】
請求項１に記載の情報記録媒体において、
前記複数の非接触型ＩＣモジュールは、前記近接部が前記情報読取手段に近接した場合に、前記近接部に配置されていない非接触型ＩＣモジュールに書き込まれた情報が前記情報読取手段によって読み出されない程度の間隔を互いに有して前記ＩＣカードに搭載されていることを特徴とする情報記録媒体。
【請求項３】
ケースと、所定の情報が書き込まれた接触型ＩＣモジュールが搭載され、その一部が前記ケースから突出するように前記ケースに内蔵されたＩＣカードとを有し、前記接触型ＩＣモジュールを所定の情報読取手段に接触させることにより該接触型ＩＣモジュールに書き込まれた情報が読み出し可能な情報記録媒体であって、
前記接触型ＩＣモジュールに書き込まれた情報を読み出す際に前記接触型ＩＣモジュールを前記情報読取手段に接触させるための接触部を有し、
前記ＩＣカードは、前記接触型ＩＣモジュールが複数搭載され、前記ケースから突出した部分を操作することで回転することにより該複数の接触型ＩＣモジュールがそれぞれ選択的に前記接触部において前記情報読取手段に接触可能となるように前記ケースに内蔵されているとともに、前記ケースから突出する部分の前記複数の接触型ＩＣモジュールのそれぞれに対応する領域に、互いに異なる形状の凹凸が形成されている情報記録媒体。
【請求項４】
ケースと、所定の情報が書き込まれた情報記録領域が設けられ、その一部が前記ケースから突出するように前記ケースに内蔵されたカードとを有し、前記情報記録領域を所定の情報読取手段に対向させることにより該情報記録領域に書き込まれた情報が読み出し可能な情報記録媒体であって、
前記情報記録領域に書き込まれた情報を読み出す際に前記情報読取手段に対向する対向部を有し、
前記カードは、前記情報記録領域が複数設けられ、前記ケースから突出した部分を操作することで回転することにより該複数の情報記録領域がそれぞれ選択的に前記対向部に配置可能となるように前記ケースに内蔵されているとともに、前記ケースから突出する部分の前記複数の情報記録領域のそれぞれに対応する領域に、互いに異なる形状の凹凸が形成されている情報記録媒体。
【請求項５】
請求項４に記載の情報記録媒体において、
前記情報記録領域に書き込まれた情報は、光学的に読み出し可能であることを特徴とする情報記録媒体。
【発明の詳細な説明】
【０００１】
【発明の属する技術分野】
本発明は、所定の情報が書き込まれ、該情報の読み出しが可能な情報記録媒体に関し、特に、複数の情報が書き込まれ、該複数の情報を選択的に読み出し可能な情報記録媒体に関する。
【０００２】
【従来の技術】
近年、情報化社会の進展に伴って、情報をカードに記録し、該カードを用いた情報管理や決済等が行われている。
【０００３】
このような情報管理や決済等に用いられるカードとしては、ＩＣチップが内蔵され、該ＩＣチップに対して情報の書き込み及び読み出しが可能なＩＣカードや、一次元あるいは二次元のバーコードを用いて情報が書き込まれ、光学的に情報が読み出される光学式カード等があり、これらのカードは、専用の装置を用いて情報の書き込み及び読み出しが行われる。
【０００４】
さらに、ＩＣカードにおいては、情報の書き込み及び読み出しを専用の装置に接触させることにより行う接触型ＩＣカードと、専用の装置に近接させるだけで情報の書き込み及び読み出しを行うことができる非接触型ＩＣカードがある。
【０００５】
図６は、接触型ＩＣカードの構造の一例を示す図であり、（ａ）は表面構造を示す図、（ｂ）は断面図である。
【０００６】
図６に示すように本従来例における接触型ＩＣカードにおいては、情報の書き込み及び読み出しが可能なＩＣチップ１０１がカード基材１０５に埋め込まれており、さらに、ＩＣチップ１０１と接続され、ＩＣチップ１０１に対する情報の書き込みあるいは読み出しを行うために外部と接触可能な端子１０２がＩＣチップ１０１の表面を覆うようにカード基材１０５の表面に露出して設けられている。
【０００７】
上記のように構成された接触型ＩＣカードにおいては、外部に設けられた情報書込／読出装置（不図示）に端子１０２を接触させ、その状態で、情報書込／読出装置からＩＣチップ１０１に情報を書き込んだり、ＩＣチップ１０１に書き込まれた情報を情報書込／読出装置にて読み出したりする。
【０００８】
図７は、非接触型ＩＣカードの構造の一例を示す図であり、（ａ）は表面構造を示す図、（ｂ）は断面図である。
【０００９】
本従来例における非接触型ＩＣカードは図７に示すように、外部からの情報の書き込み及び読み出しが可能なＩＣチップ２０１と、接点２０３を介してＩＣチップ２０１と接続され、外部に設けられた情報書込／読出装置（不図示）からの電磁誘導によりＩＣチップ２０１に電流を供給し、ＩＣチップ２０１に対する情報の書き込み及び読み出しを非接触状態にて行うためのアンテナ２０２とが、紙やフィルム等からなるカード基材２０５上に搭載されて構成されている。
【００１０】
上記のように構成された非接触型ＩＣカードにおいては、外部に設けられた情報書込／読出装置に近接させることにより、情報書込／読出装置からの電磁誘導によりアンテナ２０２からＩＣチップ２０１に電流を供給し、それにより、非接触状態において、情報書込／読出装置からＩＣチップ２０１に情報を書き込んだり、ＩＣチップ２０１に書き込まれた情報を情報書込／読出装置にて読み出したりする。
【００１１】
上述したような情報の書き込み及び読み出しが可能なカードにおいては、利用されるアプリケーション毎にそのアプリケーションにて用いられる情報を予め書き込んでおけば、利用者は、所望のアプリケーションに用いられる情報が書き込まれたカードを用いて所望のアプリケーションを利用することができる。このようなカードを用いたアプリケーションとしては、交通機関等における運賃決済や、イベント等における来場者管理等が挙げられる。
【００１２】
また、上述したようなカードを専用の装置に装着した状態で所定の用途を実行することも考えられる。例えば、上記専用の装置が、カードに書き込まれた情報を読み出す読取部と、読取部にて読み出された情報が表示されるディスプレイと、外部からの情報が入力されるキーボードと、読取部にて読み出された情報をディスプレイに表示させるとともに、キーボードを介して入力された情報と読取部にて読み出された情報とに基づいて所定の処理を行う制御部とからなるものである場合、カードの利用者は、カードをこの装置に装着した状態でカードに書き込まれた情報を用いて所定の用途を実行することができる。
【００１３】
【発明が解決しようとする課題】
しかしながら、上述したような情報の書き込み及び読み出しが可能なカードにおいては、その用途毎に、その用途に用いられる情報が書き込まれたカードをユーザが所持する必要があるため、ユーザが利用する用途の数が多い場合、カードの管理が煩雑になってしまうとともに、カードを紛失する可能性が高くなってしまうという問題点がある。
【００１４】
本発明は、上述したような従来の技術が有する問題点に鑑みてなされたものであって、所定の用途に用いられる情報が書き込まれ、該情報が読み出されることによって該用途が利用可能となる情報記録媒体であって、ユーザが利用する用途の数が多くなった場合においても、管理が煩雑にならず、かつ、紛失する可能性が高くなることのない情報記録媒体を提供することを目的とする。
【００１５】
【課題を解決するための手段】
上記目的を達成するために本発明は、
ケースと、所定の情報が書き込まれた非接触型ＩＣモジュールが搭載され、その一部が前記ケースから突出するように前記ケースに内蔵されたＩＣカードとを有し、前記非接触型ＩＣモジュールを所定の情報読取手段に近接させることにより該非接触型ＩＣモジュールに書き込まれた情報が読み出し可能な情報記録媒体であって、
前記非接触型ＩＣモジュールに書き込まれた情報を読み出す際に前記情報読取手段に近接する近接部を有し、
前記ＩＣカードは、前記非接触型ＩＣモジュールが複数搭載され、前記ケースから突出した部分を操作することで回転することにより該複数の非接触型ＩＣモジュールがそれぞれ選択的に前記近接部に配置可能となるように前記ケースに内蔵されているとともに、前記ケースから突出する部分の前記複数の非接触型ＩＣモジュールのそれぞれに対応する領域に、互いに異なる形状の凹凸が形成されている。
【００１６】
また、前記複数の非接触型ＩＣモジュールは、前記近接部が前記情報読取手段に近接した場合に、前記近接部に配置されていない非接触型ＩＣモジュールに書き込まれた情報が前記情報読取手段によって読み出されない程度の間隔を互いに有して前記ＩＣカードに搭載されていることを特徴とする。
【００１７】
また、ケースと、所定の情報が書き込まれた接触型ＩＣモジュールが搭載され、その一部が前記ケースから突出するように前記ケースに内蔵されたＩＣカードとを有し、前記接触型ＩＣモジュールを所定の情報読取手段に接触させることにより該接触型ＩＣモジュールに書き込まれた情報が読み出し可能な情報記録媒体であって、
前記接触型ＩＣモジュールに書き込まれた情報を読み出す際に前記接触型ＩＣモジュールを前記情報読取手段に接触させるための接触部を有し、
前記ＩＣカードは、前記接触型ＩＣモジュールが複数搭載され、前記ケースから突出した部分を操作することで回転することにより該複数の接触型ＩＣモジュールがそれぞれ選択的に前記接触部において前記情報読取手段に接触可能となるように前記ケースに内蔵されているとともに、前記ケースから突出する部分の前記複数の接触型ＩＣモジュールのそれぞれに対応する領域に、互いに異なる形状の凹凸が形成されている。
【００１８】
また、ケースと、所定の情報が書き込まれた情報記録領域が設けられ、その一部が前記ケースから突出するように前記ケースに内蔵されたカードとを有し、前記情報記録領域を所定の情報読取手段に対向させることにより該情報記録領域に書き込まれた情報が読み出し可能な情報記録媒体であって、
前記情報記録領域に書き込まれた情報を読み出す際に前記情報読取手段に対向する対向部を有し、
前記カードは、前記情報記録領域が複数設けられ、前記ケースから突出した部分を操作することで回転することにより該複数の情報記録領域がそれぞれ選択的に前記対向部に配置可能となるように前記ケースに内蔵されているとともに、前記ケースから突出する部分の前記複数の情報記録領域のそれぞれに対応する領域に、互いに異なる形状の凹凸が形成されている。
【００１９】
また、前記情報記録領域に書き込まれた情報は、光学的に読み出し可能であることを特徴とする。
【００２０】
（作用）
上記のように構成された本発明においては、内蔵されたＩＣカードに搭載された複数の非接触型ＩＣモジュールのうち所望の用途に用いられる情報が書き込まれた非接触型ＩＣモジュールを選択して近接部に配置し、この状態で情報記録媒体を情報読取装置に装着すると、情報読取装置に設けられ、非接触型ＩＣモジュールに書き込まれた情報を読み出すための情報読取手段が、近接部に配置された非接触型ＩＣモジュールに近接することになり、それにより、選択された非接触型ＩＣモジュールに書き込まれた情報が読み出され、所望の用途を実行することができる。
【００２１】
また、内蔵されたＩＣカードに搭載された複数の接触型ＩＣモジュールのうち所望の用途に用いられる情報が書き込まれた接触型ＩＣモジュールを選択して接触部に配置し、この状態で情報記録媒体を情報読取装置に装着すると、情報読取装置に設けられ、接触型ＩＣモジュールに書き込まれた情報を読み出すための情報読取手段が、接触部に配置された接触型ＩＣモジュールに接触部において接触することになり、それにより、選択された接触型ＩＣモジュールに書き込まれた情報が読み出され、所望の用途を実行することができる。
【００２２】
また、内蔵されたカードに設けられた複数の情報記録領域のうち所望の用途に用いられる情報が印字された情報記録領域を選択して対向部に配置し、この状態で情報記録媒体を情報読取装置に装着すると、情報読取装置に設けられ、情報記録領域に書き込まれた情報を読み出すための情報読取手段が、対向部に配置された情報記録領域と対向することになり、それにより、選択された情報記録領域に印字された情報が読み出され、所望の用途を実行することができる。
【００２３】
【発明の実施の形態】
以下に、本発明の実施の形態について図面を参照して説明する。
【００２４】
（第１の実施の形態）
図１は、本発明の情報記録媒体の第１の実施の形態を示す図であり、（ａ）は表面構造を示す図、（ｂ）は裏面構造を示す図、（ｃ）は断面図、（ｄ）は内蔵されるＩＣカードの表面構造を示す図、（ｅ）は内蔵されるＩＣカードの裏面構造を示す図である。
【００２５】
本形態は図１に示すように、所定の形状を有するケース１に、所定の情報が書き込まれた円盤状のＩＣカード２が、軸５を中心に回転可能に内蔵されて構成されている。また、ケース１の表面の所定の位置には、内蔵されたＩＣカード２が視認可能となる窓３が設けられ、また、ケース１の裏面には、この情報記録媒体が、ＩＣカード２に書き込まれた情報を読み出すための情報読取装置（図２参照）に装着された場合に、情報読取装置に設けられた読取部に近接する近接部４が設けられている。また、ＩＣカード２の裏面には、それぞれ所定の用途に用いられる情報が書き込まれ、該情報が非接触状態にて読み出し可能な非接触型ＩＣモジュール６ａ〜６ｄが、ＩＣカード２が軸５を中心に回転した際にそれぞれ近接部４に選択的に配置可能となるように搭載されており、また、ＩＣカード２の表面には、近接部４に配置されている非接触型ＩＣモジュール６ａ〜６ｄを識別可能な情報が、ＩＣカード２が軸５を中心に回転した際にそれぞれ窓３を介して視認可能となる位置に印字されている。例えば、近接部４に非接触型ＩＣモジュール６ａが配置された場合は非接触型ＩＣモジュール６ａを識別可能な情報が窓３を介して視認可能となり、近接部４に非接触型ＩＣモジュール６ｂが配置された場合は非接触型ＩＣモジュール６ｂを識別可能な情報が窓３を介して視認可能となり、近接部４に非接触型ＩＣモジュール６ｃが配置された場合は非接触型ＩＣモジュール６ｃを識別可能な情報が窓３を介して視認可能となり、近接部４に非接触型ＩＣモジュール６ｄが配置された場合は非接触型ＩＣモジュール６ｄを識別可能な情報が窓３を介して視認可能となるようにそれぞれ情報が印字されている。また、非接触型ＩＣモジュール６ａ〜６ｄはそれぞれ、図７に示したものと同様の構成となっており、所定の情報が書き込まれ、該情報が非接触状態にて読み出し可能な非接触型ＩＣチップ７ａ〜７ｄと、情報読取装置（図２参照）からの電磁誘導により非接触型ＩＣチップ７ａ〜７ｄそれぞれ電流を供給し、非接触型ＩＣチップ７ａ〜７ｄに書き込まれた情報を非接触状態にて読み出すためのアンテナ８ａ〜８ｄとから構成されている。また、ＩＣカード２はその一部がケース１から突出するようにケース１に内蔵されており、この突出した部分を操作することによりＩＣカード２を回転させることができるように構成されている。
【００２６】
なお、本形態においては、ＩＣカード２に搭載される非接触型ＩＣモジュールの数を４つとしたが、本発明はこれに限らず、１つ以上であればよい。
【００２７】
以下に、上記のように構成された情報記録媒体を用いた情報処理について説明する。
【００２８】
図２は、図１に示した情報記録媒体を用いた情報処理を説明するための図であり、情報記録媒体に書き込まれた情報を読み出すための情報読取装置に情報記録媒体が装着された状態を示す。
【００２９】
図２に示す情報読取装置５０は、情報記録媒体１０が装着される装着部５５と、装着部５５内において、情報記録媒体１０が装着部５５に装着された場合に情報記録媒体１０の近接部４が近接する位置に設けられ、情報記録媒体１０に書き込まれた情報を読み出す情報読取手段である読取部５１と、読取部５１にて読み出された情報が表示されるディスプレイ５２と、外部からの情報が入力されるキーボード５３と、読取部５１にて読み出された情報をディスプレイ５２に表示させるとともに、キーボード５３を介して入力された情報と読取部５１にて読み出された情報とに基づいて所定の処理を行う制御部５４とから構成されている。
【００３０】
上記のように構成された情報読取装置５０を用いて、図１に示した情報記録媒体に書き込まれた情報を読み出し、読み出した情報を用いて所望の用途を実行する場合は、まず、情報記録媒体１０に内蔵されたＩＣカード２に搭載された非接触型ＩＣモジュール６ａ〜６ｄのうち、所望の用途に用いられる情報が書き込まれた非接触型ＩＣモジュールを選択する。本形態においては、非接触型ＩＣモジュール６ａを選択するとする。その場合、ＩＣカード２を軸５を中心に回転させ、非接触型ＩＣモジュール６ａを識別可能な情報が窓３から視認可能となるようにする。本形態においては、非接触型ＩＣモジュール６ａ〜６ｄを識別可能な情報として、それらによって実行可能な処理ＪｏｂＡ〜ＪｏｂＤがＩＣカード２の表面にそれぞれ印字されているため、ＪｏｂＡが窓３から視認可能となるようにＩＣカード２を回転させれば、近接部４に非接触型ＩＣモジュール６ａが配置されることになる。
【００３１】
この状態で情報記録媒体１０を情報読取装置５０の装着部５５に装着すると、情報記録媒体１０の近接部４に配置された非接触型ＩＣモジュール６ａが、情報読取装置５０の読取部５１に近接する。
【００３２】
すると、読取部５１において、非接触型モジュール６ａに書き込まれた情報が読み出され、その後、読み出された情報がディスプレイ５２上に表示されたり、読み出された情報を用いてキーボード５３あるいは制御部５４において情報処理が行われる。
【００３３】
ここで、読取部５１において、情報記録媒体１０の非接触型ＩＣモジュール６ａ〜６ｄのうち近接部４に配置されていない非接触型ＩＣモジュール、すなわち、本形態においては非接触型ＩＣモジュール６ｂ〜６ｄに書き込まれた情報が読み出されないようにする必要がある。そのため、非接触型ＩＣモジュール６ａ〜６ｄは、近接部４が読取部５１に近接した場合に、近接部４に配置されていない非接触型ＩＣモジュールに書き込まれた情報が読取部５１によって読み出されない程度の間隔を互いに有してＩＣカード２に搭載されている。
【００３４】
（第２の実施の形態）
図３は、本発明の情報記録媒体の第２の実施の形態を示す図であり、（ａ）は表面構造を示す図、（ｃ）は内蔵されるＩＣカードの裏面構造を示す図である。
【００３５】
図３に示すように本形態においては、図１に示したものに対して、ＩＣカード１２が内蔵されるケース１１に窓が設けられておらず、その代わりに、ＩＣカード１２の周囲に、ＩＣカード１２に搭載される非接触型ＩＣモジュール１６ａ〜１６ｄを識別可能な凹凸が形成されている。この凹凸は、ＩＣカード１２の周囲を、搭載される非接触型ＩＣモジュールの数分に分割し、分割された部分がそれぞれ異なる形状となるように形成されている。本形態においては、ＩＣカード１２に搭載される非接触型ＩＣモジュールの数が４つであるため、ＩＣカード１２の周囲が４分割され、それぞれが異なる凹凸形状を有している。
【００３６】
このため、利用者は、ＩＣカード１２を回転させる際にこの凹凸によって近接部に配置される非接触型ＩＣモジュールを選択することができる。
【００３７】
なお、本形態においては、ＩＣカード１２の周囲に、ＩＣカード１２に搭載される非接触型ＩＣモジュール１６ａ〜１６ｄを識別可能な凹凸を形成し、この凹凸によって非接触型ＩＣモジュールを選択可能にするものについて説明したが、ＩＣカードを、搭載される非接触型ＩＣモジュールの数分に分割し、分割された部分がそれぞれ異なる色となるようにＩＣカードの表面を着色するように構成してもよい。
【００３８】
その場合、利用者は、ＩＣカードを回転させる際にＩＣカードに着色された色を上述した窓あるいは突出部分にて認識することにより、近接部に配置される非接触型ＩＣモジュールを選択することができる。
【００３９】
（第３の実施の形態）
図４は、本発明の情報記録媒体の第３の実施の形態を示す図であり、（ａ）は表面構造を示す図、（ｂ）は裏面構造を示す図、（ｃ）は断面図、（ｄ）は内蔵されるＩＣカードの表面構造を示す図、（ｅ）は内蔵されるＩＣカードの裏面構造を示す図である。
【００４０】
本形態は図４に示すように、所定の形状を有するケース２１に、所定の情報が書き込まれた円盤状のＩＣカード２２が、軸２５を中心に回転可能に内蔵されて構成されている。また、ケース２１の表面の所定の位置には、内蔵されたＩＣカード２２が視認可能となる窓２３が設けられ、また、ケース２１の裏面には、この情報記録媒体が、ＩＣカード２２に書き込まれた情報を読み出すための情報読取装置（図２参照）に装着された場合に、情報読取装置に設けられた読取部にＩＣカード２２を接触させるための接触部２４が設けられている。また、ＩＣカード２２の裏面には、それぞれ所定の用途に用いられる情報が書き込まれ、該情報が接触状態にて読み出し可能な接触型ＩＣモジュール２６ａ〜２６ｄが、ＩＣカード２２が軸２５を中心に回転した際に、情報読取装置に設けられた読取部にそれぞれ選択的に接触部２４において接触可能となるように搭載されており、また、ＩＣカード２２の表面には、情報読取装置に設けられた読取部に接触部２４において接触している接触型ＩＣモジュール２６ａ〜２６ｄを識別可能な情報が、ＩＣカード２２が軸２５を中心に回転した際にそれぞれ窓２３を介して視認可能となる位置に印字されている。例えば、情報読取装置に設けられた読取部に接触型ＩＣモジュール２６ａが接触部２４において接触している場合は接触型ＩＣモジュール２６ａを識別可能な情報が窓２３を介して視認可能となり、情報読取装置に設けられた読取部に接触型ＩＣモジュール２６ｂが接触部２４において接触している場合は接触型ＩＣモジュール２６ｂを識別可能な情報が窓２３を介して視認可能となり、情報読取装置に設けられた読取部に接触型ＩＣモジュール２６ｃが接触部２４において接触している場合は接触型ＩＣモジュール２６ｃを識別可能な情報が窓２３を介して視認可能となり、情報読取装置に設けられた読取部に接触型ＩＣモジュール２６ｄが接触部２４において接触している場合は接触型ＩＣモジュール２６ｄを識別可能な情報が窓２３を介して視認可能となるようにそれぞれ情報が印字されている。また、接触型ＩＣモジュール２６ａ〜２６ｄはそれぞれ、図６に示したものと同様の構成となっており、所定の情報が書き込まれ、該情報が接触状態にて読み出し可能な接触型ＩＣチップ２７ａ〜２７ｄと、接触型ＩＣチップ２７ａ〜２７ｄを覆うように形成され、接触型ＩＣチップ２７ａ〜２７ｄに書き込まれた情報を情報読取装置（図２参照）と接触することにより読み出すための端子２８ａ〜２８ｄとがＩＣカード２２に埋め込まれて構成されている。また、ＩＣカード２２はその一部がケース２１から突出するようにケース２１に内蔵されており、この突出した部分を操作することによりＩＣカード２２を回転させることができるように構成されている。
【００４１】
なお、本形態においては、ＩＣカード２２に搭載される接触型ＩＣモジュールの数を４つとしたが、本発明はこれに限らず、１つ以上であればよい。
【００４２】
上記のように構成された情報記録媒体を用いて所望の用途を実行する場合は、まず、情報記録媒体に内蔵されたＩＣカード２２に搭載された接触型ＩＣモジュール２６ａ〜２６ｄのうち、所望の用途に用いられる情報が書き込まれた接触型ＩＣモジュールを選択する。本形態においては、接触型ＩＣモジュール２６ａを選択するとする。その場合、ＩＣカード２２を軸２５を中心に回転させ、接触型ＩＣモジュール２６ａを識別可能な情報が窓２３から視認可能となるようにする。本形態においては、接触型ＩＣモジュール２６ａ〜２６ｄを識別可能な情報として、それらによって実行可能な処理ＪｏｂＡ〜ＪｏｂＤがＩＣカード２２の表面にそれぞれ印字されているため、ＪｏｂＡが窓２３から視認可能となるようにＩＣカード２２を回転させれば、接触部２４に接触型ＩＣモジュール２６ａが配置されることになる。
【００４３】
この状態で情報記録媒体を図２に示したような情報読取装置に装着する。ただし、本形態においては、ＩＣカード２２に搭載されたＩＣモジュールが接触状態にて情報の読み出しが可能な接触型ＩＣモジュール２６ａ〜２６ｄであるため、情報読取装置の読取部は、接触型ＩＣモジュール２６ａ〜２６ｄに接触することにより接触型ＩＣモジュール２６ａ〜２６ｄに書き込まれた情報を読み出すことが可能なものとする。
【００４４】
情報記録媒体を情報読取装置に装着すると、情報記録媒体の接触部２４に配置された接触型ＩＣモジュール２６ａが、接触部２４において情報読取装置の読取部に接触する。
【００４５】
すると、情報読取装置の読取部において、接触型モジュール２６ａに書き込まれた情報が読み出され、その後、読み出された情報を用いて所望の用途が実行される。
【００４６】
（第４の実施の形態）
図５は、本発明の情報記録媒体の第４の実施の形態を示す図であり、（ａ）は表面構造を示す図、（ｂ）は裏面構造を示す図、（ｃ）は断面図、（ｄ）は内蔵されるカードの表面構造を示す図、（ｅ）は内蔵されるカードの裏面構造を示す図である。
【００４７】
本形態は図５に示すように、所定の形状を有するケース３１に、所定の情報が印字された円盤状のカード３２が、軸３５を中心に回転可能に内蔵されて構成されている。また、ケース３１の表面の所定の位置には、内蔵されたカード３２が視認可能となる窓３３が設けられ、また、ケース３１の裏面には、ガラス等の透明な材料からなり、この情報記録媒体が、カード３２に印字された情報を読み出すための情報読取装置（図２参照）に装着された場合に、情報読取装置に設けられた読取部に対向する対向部３４が設けられている。また、カード３２の裏面には、それぞれ所定の用途に用いられる情報が二次元バーコード３７ａ〜３７ｄによって印字され、該情報が光学的に読み取り可能な情報記録領域３６ａ〜３６ｄが、カード３２が軸３５を中心に回転した際にそれぞれ対向部３４に選択的に配置可能となるように設けられており、また、カード３２の表面には、対向部３４に配置されている情報記録領域３６ａ〜３６ｄを識別可能な情報が、カード３２が軸３５を中心に回転した際にそれぞれ窓３３を介して視認可能となる位置に印字されている。例えば、対向部３４に情報記録領域３６ａが配置された場合は情報記録領域３６ａを識別可能な情報が窓３３を介して視認可能となり、対向部３４に情報記録領域３６ｂが配置された場合は情報記録領域３６ｂを識別可能な情報が窓３３を介して視認可能となり、対向部３４に情報記録領域３６ｃが配置された場合は情報記録領域３６ｃを識別可能な情報が窓３３を介して視認可能となり、対向部３４に情報記録領域３６ｄが配置された場合は情報記録領域３６ｄを識別可能な情報が窓３３を介して視認可能となるようにそれぞれ情報が印字されている。また、カード３２はその一部がケース３１から突出するようにケース３１に内蔵されており、この突出した部分を操作することによりカード３２を回転させることができるように構成されている。また、対向部３４においては、ガラス等の透明な材料を用いて構成されることに限らず、対向部３４に配置された情報記録領域３６ａ〜３６ｄに印字された情報が情報読取装置にて光学的に読取可能となるものあればよく、単なる切り欠き形状等であってもよい。
【００４８】
なお、本形態においては、カード３２に設けられる情報記録領域の数を４つとしたが、本発明はこれに限らず、１つ以上であればよい。
【００４９】
上記のように構成された情報記録媒体を用いて所望の用途を実行する場合は、まず、情報記録媒体に内蔵されたカード３２に設けられた情報記録領域３６ａ〜３６ｄのうち、所望の用途に用いられる情報が印字された情報記録領域を選択する。本形態においては、情報記録領域３６ａを選択するとする。その場合、カード３２を軸３５を中心に回転させ、情報記録領域３６ａを識別可能な情報が窓３３から視認可能となるようにする。本形態においては、情報記録領域３６ａ〜３６ｄを識別可能な情報として、それらによって実行可能な処理ＪｏｂＡ〜ＪｏｂＤがカード３２の表面にそれぞれ印字されているため、ＪｏｂＡが窓３３から視認可能となるようにカード３２を回転させれば、対向部３４に情報記録領域３６ａが配置されることになる。
【００５０】
この状態で情報記録媒体を図２に示したような情報読取装置に装着する。ただし、本形態においては、カード３２に設けられた情報記録領域が情報読取装置の読取部と対向することにより情報の読み取りが可能な二次元バーコード３７ａ〜３７ｄが印字された情報記録領域３６ａ〜３６ｄであるため、情報読取装置の読取部は、情報記録領域３６ａ〜３６ｄと対向した状態で情報記録領域３６ａ〜３６ｄに書き込まれた情報を光学的に読み出すことが可能なものとする。
【００５１】
情報記録媒体を情報読取装置に装着すると、情報記録媒体の対向部３４に配置された情報記録領域３６ａが情報読取装置の読取部と対向するようになる。
【００５２】
すると、情報読取装置の読取部において、情報記録領域３６ａに書き込まれた情報が光学的に読み出され、その後、読み出された情報を用いて所望の用途が実行される。
【００５３】
なお、本形態においては、情報記録領域３６ａ〜３６ｄに二次元バーコード３７ａ〜３７ｄが印字されたものを例に挙げて説明したが、光学的に読取可能なものであれば二次元バーコードに限らない。
【００５４】
また、上述した４つの実施の形態をそれぞれ任意に組み合わせて構成することも可能であることは言うまでもない。
【００５５】
また、上述した４つの実施の形態においては、内蔵されるカードを円盤状のものとしたが、複数の情報が書き込まれた領域が設けられ、その領域が選択可能なものであればその形状は円盤状に限られるものではない。
【００５６】
【発明の効果】
本発明は、以上説明したように構成されているので、以下に記載するような効果を奏する。
【００５７】
内蔵されたＩＣカードに複数の非接触型ＩＣモジュールが搭載され、非接触型ＩＣモジュールに書き込まれた情報を読み出す際に情報読取手段に近接する近接部に対して複数の非接触型ＩＣモジュールがそれぞれ選択的に配置可能となるようにＩＣカードが内蔵されているものにおいては、所望の用途に用いられる情報が書き込まれた非接触型ＩＣモジュールを選択して近接部に配置し、この状態で情報記録媒体を情報読取装置に装着すれば、近接部に配置された非接触型ＩＣモジュールが情報読取手段に近接することになり、それにより、選択された非接触型ＩＣモジュールに書き込まれた情報が読み出され、所望の用途を実行することができる。
【００５８】
また、内蔵されたＩＣカードに複数の接触型ＩＣモジュールが搭載され、接触型ＩＣモジュールに書き込まれた情報を読み出す際に情報読取手段に接触する接触部に対して複数の接触型ＩＣモジュールがそれぞれ選択的に配置可能となるようにＩＣカードが内蔵されているものにおいては、所望の用途に用いられる情報が書き込まれた接触型ＩＣモジュールを選択して接触部に配置し、この状態で情報記録媒体を情報読取装置に装着すれば、接触部に配置された接触型ＩＣモジュールが接触部において情報読取手段に接触することになり、それにより、選択された接触型ＩＣモジュールに書き込まれた情報が読み出され、所望の用途を実行することができる。
【００５９】
また、内蔵されたカードに複数の情報記録領域が設けられ、情報記録領域に印字された情報を読み取る際に情報読取手段に対向する対向部に対して複数の情報記録領域がそれぞれ選択的に配置可能となるようにカードが内蔵されているものにおいては、所望の用途に用いられる情報が印字された情報記録領域を選択して対向部に配置し、この状態で情報記録媒体を情報読取装置に装着すれば、対向部に配置された情報記録領域が情報読取手段に対向することになり、それにより、選択された情報記録領域に印字された情報が読み取られ、所望の用途を実行することができる。
【００６０】
このように、本発明においては、１つの情報記録媒体に複数の情報が書き込まれた領域が設けられ、その領域を選択することにより所定の用途に用いられる情報が読み出されてその用途が実行されるため、ユーザが利用する用途の数が多くなった場合においても、管理が煩雑にならず、かつ、紛失する可能性が高くなることのない情報記録媒体を提供することができる。
【図面の簡単な説明】
【図１】本発明の情報記録媒体の第１の実施の形態を示す図であり、（ａ）は表面構造を示す図、（ｂ）は裏面構造を示す図、（ｃ）は断面図、（ｄ）は内蔵されるＩＣカードの表面構造を示す図、（ｅ）は内蔵されるＩＣカードの裏面構造を示す図である。
【図２】図１に示した情報記録媒体を用いた情報処理を説明するための図である。
【図３】本発明の情報記録媒体の第２の実施の形態を示す図であり、（ａ）は表面構造を示す図、（ｃ）は内蔵されるＩＣカードの裏面構造を示す図である。
【図４】本発明の情報記録媒体の第３の実施の形態を示す図であり、（ａ）は表面構造を示す図、（ｂ）は裏面構造を示す図、（ｃ）は断面図、（ｄ）は内蔵されるＩＣカードの表面構造を示す図、（ｅ）は内蔵されるＩＣカードの裏面構造を示す図である。
【図５】本発明の情報記録媒体の第４の実施の形態を示す図であり、（ａ）は表面構造を示す図、（ｂ）は裏面構造を示す図、（ｃ）は断面図、（ｄ）は内蔵されるカードの表面構造を示す図、（ｅ）は内蔵されるカードの裏面構造を示す図である。
【図６】接触型ＩＣカードの構造の一例を示す図であり、（ａ）は表面構造を示す図、（ｂ）は断面図である。
【図７】非接触型ＩＣカードの構造の一例を示す図であり、（ａ）は表面構造を示す図、（ｂ）は断面図である。
【符号の説明】
１，１１，２１，３１    ケース
２，１２，２２    ＩＣカード
３，２３，３３    窓
４    近接部
５，２５，３５    軸
６ａ〜６ｄ，１６ａ〜１６ｄ    非接触型ＩＣモジュール
７ａ〜７ｄ，１７ａ〜１７ｄ    非接触型ＩＣチップ
８ａ〜８ｄ，１８ａ〜１８ｄ    アンテナ
１０    情報記録媒体
２４    接触部
２６ａ〜２６ｄ    接触型ＩＣモジュール
２７ａ〜２７ｄ    接触型ＩＣチップ
２８ａ〜２８ｄ    端子
３２    カード
３４    対向部
３６ａ〜３６ｄ    情報記録領域
３７ａ〜３７ｄ    二次元バーコード
５０    情報読取装置
５１    読取部
５２    ディスプレイ
５３    キーボード
５４    制御部
５５    装着部
【図１】
0004745515.tif 000002
【図２】
0004745515.tif 000003
【図３】
0004745515.tif 000004
【図４】
0004745515.tif 000005
【図５】
0004745515.tif 000006
【図６】
0004745515.tif 000007
【図７】
0004745515.tif 000008